(57)【特許請求の範囲】
【請求項１】
吸込パイプ及び前記吸込パイプに沿って配設された配線カバーを有する延長パイプを備え、前記配線カバーが前記吸込パイプのパイプ端部に分解可能に取り付けられた電気掃除機であって、
前記配線カバーの一端部は被取付端部を有し、前記吸込パイプのパイプ端部と前記被取付端部との一方に係止爪が形成され、且つ前記被取付端部を前記パイプ端部の端縁方向にスライドさせることにより前記被取付端部を前記吸込パイプの径方向に抜け外れ不能に前記係止爪に係合させる被係合部が前記パイプ端部と前記被取付端部との他方に形成されていると共に、このスライド操作により前記被取付端部を前記吸込パイプの長手方向に移動不能に前記パイプ端部に係止させるカバー係止手段が前記被取付端部と前記パイプ端部との間に設けられ、前記パイプ端部および前記被取付端部に覆い被さる無端状の環状保持部材の内面で前記カバー係止手段と当接して前記被取付端部の移動不能状態を維持することを特徴とする電気掃除機。
【発明の詳細な説明】
【技術分野】
【０００１】
この発明は、配線カバーが設けられた延長パイプを備える電気掃除機に関する。
【背景技術】
【０００２】
従来の電気掃除機には、集塵室及びこの集塵室に吸込負圧を作用させる電動送風機が設けられた掃除機本体と、この集塵室に連通する接続口に一端部が接続された集塵ホースと、この集塵ホースの他端部に一体に設けられた手元操作パイプと、この手元操作パイプに一端部が着脱可能に接続された延長パイプと、この延長パイプの他端部に着脱可能に接続された吸込口体と、吸込口体の底面に開口する吸込室に回転自在に設けられた回転清掃体と、吸込口体に設けられて回転清掃体を回転駆動する駆動モータを備えるものが知られている。
【０００３】
このような電気掃除機では、掃除機本体内の電源回路から吸込口体の駆動モータに給電するための給電線を集塵ホース，手元操作パイプ，及び延長パイプに設けているのが普通である。
【０００４】
ところで、このような延長パイプには、複数の吸込パイプを伸縮自在に嵌合すると共に、複数の吸込パイプに跨って伸縮自在な給電線を配設し、この給電線を配線カバーで覆うようにしたものが知られている（例えば、特許文献１参照）。
【特許文献１】特開２００４−８２３９号公報
【発明の開示】
【発明が解決しようとする課題】
【０００５】
しかしながら、このような電気掃除機にあっては、配線カバーを吸込パイプにネジ止めしていたため、配線カバーの吸込パイプへの取付部の外形が大きくなる傾向にあった。
【０００６】
そこで、この発明は、配線カバーの吸込パイプへの取付部の外形が大きくなるのを回避できる延長パイプを備えた電気掃除機を提供することを目的とするものである。
【課題を解決するための手段】
【０００７】
この目的を達成するため、この発明は、吸込パイプ及び前記吸込パイプに沿って配設された配線カバーとを有する延長パイプを備え、前記配線カバーが前記吸込パイプのパイプ端部に分解可能に取り付けられた電気掃除機であって、前記配線カバーの一端部は被取付端部を有し、前記吸込パイプのパイプ端部と前記被取付端部との一方に係止爪が形成され、且つ前記被取付端部を前記パイプ端部の端縁方向にスライドさせることにより前記被取付端部を前記吸込パイプの半径方向に抜け外れ不能に前記係止爪に係合させる被係合部が前記パイプ端部と前記被取付端部との他方に形成されていると共に、このスライド操作により前記被取付端部を前記吸込パイプの長手方向に移動不能に前記パイプ端部に係止させるカバー係止手段が前記被取付端部と前記パイプ端部との間に設けられ、前記パイプ端部および前記被取付端部に覆い被さる無端状の環状保持部材の内面で前記カバー係止手段と当接して前記被取付端部の移動不能状態を維持する電気掃除機としたことを特徴とする。
【発明の効果】
【０００８】
この構成によれば、ネジ等を用いていないので、延長パイプの配線カバーの吸込パイプへの取付部の外形が大きくなるのを回避できる。
【発明を実施するための最良の形態】
【０００９】
以下、この発明に係る電気掃除機の実施形態である実施例を図面に基づいて説明する。
【実施例】
【００１０】
図１に示す電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１５と、この集塵ホース１５の他端に設けた手元操作管１７に着脱自在に接続された延長管（延長パイプである伸縮管）２０と、この延長管２０の先端部に着脱自在に接続された吸込口体１００とを備えている。集塵室１２には、塵埃を慣性分離する塵埃分離部とこの塵埃分離部で分離された塵埃を集塵する集塵部とを備えた集塵容器（図示せず）が着脱自在に装着されている。
【００１１】
また、手元操作管１７には操作部１７Ａが設けられており、操作部１７Ａには電動送風機の強弱を設定する強弱スイッチＳａ，ＳｂとオフスイッチＳｃと吸込口体１００に設けられたパワーブラシ用のモータＭを駆動させるパワーブラシスイッチＳｄ等とが設けられている。
【００１２】
延長管２０は、図１に示すように手元操作管１７に着脱自在に接続された第１パイプ（吸込パイプ）２１と、図１〜図４に示したように第１パイプ２１内に引き出し可能（伸縮可能）に嵌合された第２パイプ（吸込パイプ）３０と、この第２パイプ３０内に引き出し可能（伸縮可能）に嵌合された第３パイプ（吸込パイプ）４０とを備えている（図１Ａ参照）。
【００１３】
この第３パイプ４０の先端部には吸込口体１００の接続管１０１が接続アダプタ１０２を介して着脱自在に接続されている。
【００１４】
第１パイプ２１の先端部２１Ａ（図５参照）の下側にはクランプケース２２が取り付けられており、このクランプケース２２にはクランプ部材２３が設けられている。このクランプ部材２３の操作により第２パイプ３０を任意の伸長位置に固定することができるようになっている。また、第１パイプ２１の先端部２１Ａには、図５および図６に示すように第１パイプ２１と第２パイプ３０との間をシールするシールパイプ２４が装着され、このシールパイプ２４の上部には前方へ突出した操作片２５が形成されている。この操作片２５の先端部２５Ａにはこの先端部２５Ａが先細りとなる傾斜面２５ａが形成されている。
【００１５】
また、第１パイプ２１の上部には第１カバーケース（配線カバー）２６が取り付けられ、第１パイプ２１の後部が小径の接続部２１Ｂとなっており、この接続部２１Ｂが手元操作管１７内に接続されることになる。
【００１６】
第２パイプ３０は、図７に示すように、下部に軸線方向に沿って等間隔に形成された複数の凹部（係合部）３１を有しており、先端部（図７において左端部）には大径の接合管部３２が形成され、後部３０Ｂが図６の鎖線で示すように第１パイプ２１に装着したシールパイプ２４内に挿入されている。凹部３１には第１パイプ２１のクランプ部材２３の先端部２３ａが係合することにより、第２パイプ３０が任意の伸長長さにロックされる。
【００１７】
また、接合管部３２の上壁部は第１上壁部３２Ａａと第２上壁部３２Ａｂとからなる２段に形成され、第１上壁部３２Ａａと第２上壁部３２Ａｂとの間に図５に示す操作片２５の先端部２５Ａが挿入される隙間３３が形成されている。また、第１上壁部３２Ａａの後部と第２上壁部３２Ａｂの前部がオーバーラップし、オーバーラップしていない第１上壁部３２Ａａに穴３４が形成され、接合管部３２の下部にも穴３５が形成されている。
【００１８】
また、図７，図７Ａ，図７Ｂに示したように第２パイプ３０は、第１パイプ２１に引き出し可能に嵌合される小径のパイプ部３０ａと、パイプ部３０ａに連設された大径の先端パイプ部３０ｂを有する。この先端パイプ部３０ｂの先端側上部の左右の部分（両側）には一対の係止爪７０，７０がそれぞれ突設されている。この係止爪７０，７０は、図７Ｂに示したように第２パイプ３０の長手方向に延設されていると共に、図７Ｃに示したように外側方に向けた爪部７０ａ，７０ａを有する。
【００１９】
更に、先端パイプ部３０ｂのパイプ部３０ａ側の上部には、左右の部分（両側）に位置させて一対の移動規制突起７１，７１が一体に形成されている。この移動規制突起７１，７１の間隔は一対の係止爪７０，７０の間隔よりも広く設定されている。また、図７Ａ，７Ｂに示したように、先端パイプ部３０ｂのパイプ部３０ａ側の端にはフランジ７２が一体に形成され、このフランジ７２の両側上部にはカバー支持面７２ａ，７２ａが形成されている。また、図３，図７，図８に示したように先端パイプ部３０ｂの下部には、穴３５とフランジ７２との間に位置させて係止爪７３が一体に形成されている。この係止爪７３は、フランジ側に傾斜ガイド面７３ａを有し、穴３５側に周面と略垂直な係止面７３ｂを有する。
【００２０】
また、図１，図１Ａ，図２，図３に示したように第２パイプ３０の上方には、長手方向に沿って延びる第２カバーケース（配線カバー）３７が配設されている。この第２カバーケース３７は、図１Ａに示したように側壁７４ａ，７４ａと上壁７４ｂを備えるＵ字状のカバー部材７４と、カバー部材７４の側壁７４ａ，７４ａ間を閉成する断面円弧状のカバー部材７５から中空で細長く形成されている。
【００２１】
しかも、カバー部材７４の内面の幅方向中央部には、長手方向に延び且つ先端がカバー部材７４の上壁７４ｂに間隙７６を介して臨む仕切突部（ガイド突部）７５ａが一体に形成されている。
【００２２】
また、カバー部材７４は、カバー部材７５の一端よりさらに突出する被取付端部７４Ｃを有する。この被取付端部７４Ｃには、図７Ｄに示したように周方向に延びるリブ７７，７７Ａ、及び、長手方向に延びてリブ７７，７７Ａに直交する複数のリブ７７ａ，７７ｂが形成されている。このリブ７７は被取付端部７４Ｃの一端側（図７Ｄの左端）に形成され、リブ７７Ａは他端（図７Ｄの右端すなわちカバー部材７５側の端）に形成されている。また、図３の如くリブ７７ａのリブ７７Ａ側には傾斜ガイド部７７ａ１が形成されている。
【００２３】
しかも、側壁７４ａ，７４ａには、図１Ａ及び図７Ｅに示したように被取付端部７４Ｃの端面及び内面に開放する係合溝（被係合部）７８，７８がそれぞれ形成されている。また、被取付端部７４Ｃの側壁７４ａ，７４ａの外側面には係止段部７４ｅ，（他方図示せず）が形成されている。
【００２４】
更に、側壁７４ａ，７４ａが移動規制突部７１，７１間に配設されていると共に、先端パイプ部３０ｂに突設した係止爪７０，７０の爪部７０ａ，７０ａが第２カバーケース３７の係合溝７８，７８に係合させられている。しかも、係止段部７４ｅ，（他方図示せず）は、移動規制突部７１，７１に係止されて、被取付端部７４Ｃが第１パイプ２１側に移動するのを規制している。この係止段部７４ｅと移動規制突部７１は、配線カバーとしてのカバー部材７４の被取付端部７４Ｃが第１パイプ２１側に移動するのを阻止するカバー係止手段を構成している。
【００２５】
尚、第２カバーケース３７の被取付端部７４Ｃを第１パイプ２１側から係止爪７０，７０側に移動させることにより、係合溝７８，７８には係止爪７０，７０の爪部７０ａ，７０ａが嵌合される。しかも、移動規制突部７１，７１は第２カバーケース３７の被取付端部７４Ｃの側方（左右方向）への移動を規制している。これらにより、被取付端部７４Ｃが上下・左右方向に外れないようになっている。
【００２６】
第２パイプ３０の接合管部３２には、図８に示すように保持パイプ５０が嵌入されている。この保持パイプ５０は、第２パイプ３０と第３パイプ４０との間をシールする。
【００２７】
保持パイプ５０の上部には、図９に示すように開口５１が形成されており、下部には穴５２が形成されている。また、保持パイプ５０の先端部にはフランジ５３が形成され、このフランジ５３の上部には下縁を円弧状にした長穴５４が形成されている。更に、保持パイプ５０の内壁面の両側には上下に延びた一対の突条部５５が形成され、フランジ５３の上端部５３ａには第２パイプ３０とは反対側及び上方に開放する係止凹部５６が形成されている。また、フランジ５３の周縁部にはリブ７７側に位置させた傾斜ガイド面５３ｂが形成されている。
【００２８】
このフランジ５３の上端部５３ａには、カバー部材７４の被取付端部７４Ｃの端面が当接している。しかも、カバー部材７４，７５からなる第２カバーケース（配線カバー）３７内の空間３７ａは長穴５４に臨ませられている。
【００２９】
このカバー部材７４の被取付端部７４Ｃ及び第２パイプ３０の先端パイプ部３０ｂは、図３，図７Ｉに示したように第２カバーケース３７及び第２パイプ３０に跨る弾性変形可能な飾りリング（固定リングである環状保持部材）Ｋで同時にカバーされている。この飾りリングＫは、図３，図４に示したように、被取付端部７４Ｃに設けたリブ７７，７７ａ，７７Ａ，７７ｂに上部内面が弾接していると共に、一端部内面が保持パイプ５０に設けたフランジ５３の外周面に弾接している。尚、飾りリングＫの内側面に保持パイプ５０に設けた突条部５５と同様な上下に延びる突条部（リブ）を設けても良い。
【００３０】
この飾りリングＫは、図７Ｆ〜図７Ｈに示したように一端部の上部内面に下方に突設した係止爪７９と、他端部内周面に設けたフランジ状の係止爪８０と、下部内面に突設した係止爪８１を有する。この係止爪８１は、係止爪８０とは反対側の傾斜ガイド面８１ａと、内周面と略垂直に係止爪８０側に設けられた係止面８１ｂを有する。
【００３１】
そして、係止爪７９は保持パイプ５０に設けたフランジ５３の係止凹部５６に係止され、係止爪８０は被取付端部７４Ｃに設けたリブ７７Ａのフランジ５３とは反対側の面に係止され、係止爪８１の係止面８１ｂは先端パイプ部３０ｂに設けた係止爪７３の係止面７３ｂに係止されている。
【００３２】
この係止爪７９，係止凹部５６，係止爪８０，リブ７７Ａ等を備える第１の係止手段は、第２カバーケース３７の被取付端部７４Ｃが長手方向（第１パイプ２１側）に移動しないように第２パイプ３０の先端パイプ部３０ｂに固定している。
【００３３】
また、係止爪７９，係止凹部５６，係止爪８１，リブ７７Ａ等を備える第２の係止手段は、飾りリングＫが第２パイプ３０の長手方向に移動しないように飾りリングＫを第２パイプ３０の先端パイプ部３０ｂに固定している。
【００３４】
このようにすることで飾りリングＫは、第２カバーケース３７に左右方向に移動させようとしても、移動規制突部７１の変形を阻止し、且つ、第２カバーケース３７を上下に移動させようとしても、係合溝７８，７８から係止爪７０，７０の爪部７０ａ，７０ａが抜け外れるのを阻止すると共に、第２カバーケース３７が第１パイプ２１側に移動しないように、第２カバーケース３７の被取付端部７４Ｃを第２パイプ３０に固定している。
【００３５】
この第２カバーケース３７の後部側は第１カバーケース２６内に挿入されており、第２パイプ３０が第１パイプ２１から引き出されると、その引き出しに応じて第２カバーケース３７が第１カバーケース２６から引き出されるようになっている。
【００３６】
また、保持パイプ５０内には、開口５１から挿入されたリング部材（ロック手段）６０が図１０に示すように配置されている。そして、この保持パイプ５０が図８に示すように第２パイプ３０の接合管部３２に嵌入され、保持パイプ５０の穴５２と第２パイプ３０の接合管部３２の穴３５とが対向されている。
【００３７】
リング部材６０は、図９に示すように、内周壁面の下部に設けた方形状の突起６１と、外周壁面の下部に設けた突起６２（図１０参照）とを有している。また、外周壁面の上部には傾斜面６３ａを有する傾斜突起６３が設けられており、この傾斜突起６３の前方側（図９において左側）のその上部には図１１に示すように一対の切欠６５が設けられている。そして、この一対の切欠６５で挟まれる部分が切欠６５により上下方向に弾性を有する係止片６６となっており、この係止片６６に係止穴６４が形成されている。
【００３８】
また、リング部材６０の外周壁面の両側方には上下方向に延びた一対のガイド溝６７が形成されており、この一対の各ガイド溝６７の両側にはリブ６８が形成されている。そして、一対の各ガイド溝６７には保持パイプ５０の突条部５５が係合され、リング部材６０が保持パイプ５０内でその突条部５５に沿って上下動、すなわち径方向に移動可能となっている。
【００３９】
リング部材６０の突起６２には、図３に示すように、第２パイプ３０の接合管部３２の穴３５内に配置されたスプリングＰの一端が取り付けられている。このスプリングＰの他端は、第２パイプ３０の飾りリングＫに当接部材Ｔを介して保持されている。リング部材６０はスプリングＰにより上方に付勢されている。
【００４０】
そして、図８に示す保持パイプ５０およびリング部材６０内には、図１２に示す第３パイプ４０の後部４０Ｂが差し込まれて第２パイプ３０内に挿入されている。
【００４１】
第３パイプ４０は、図１３（Ａ）に示すように、先端部（図１３において左端部）に形成された大径の接続管部４１を有している。この接続管部４１は接続アダプタ１０２が接続される。また、第３パイプ４０の接続管部４１の後方の上部には係止突起４２が形成され、第３パイプ４０の後部側の下部には係合凹部４３が形成されている。
【００４２】
係止突起４２は、図１３（Ｂ）に示すように左側に傾斜面４２ａを有し、右側が起立した起立面４２ｂとなっている。
【００４３】
第３パイプ４０が第２パイプ３０から引き出されて図１２に示す伸長位置に移動されると、リング部材６０がスプリングＰの付勢力により上方に移動して、図１４に示すようにリング部材６０の突起６１が第３パイプ４０の係合凹部４３に係合して、第３パイプ４０が第２パイプ３０にロックされるようになっている。このとき、リング部材６０の傾斜突起６３が第２パイプ３０の第１上壁部３２Ａａの位置から上に突出されるようになっている。
【００４４】
また、第３パイプ４０が第２パイプ３０内の収納位置へ収納されると、第２パイプ３０が第１パイプ２１内に収納されている場合、図１５および図１６に示すように、リング部材６０の係止穴６４に第３パイプ４０の係止突起４２が係合して第３パイプ４０が第２パイプ３０にロックされるようになっている。
【００４５】
第３パイプ４０の先端部には、図２ないし図４に示すように、スタンドストッパ４５が取り付けられており、このスタンドストッパ４５の上部には第３カバーケース４７の先端部側が固定されている。この第３カバーケース４７の後部側は第２カバーケース３７内に挿入されており、第３パイプ４０が第２パイプ３０から引き出されると、その引き出しに応じて第３カバーケース４７が第２カバーケース３７から引き出されるようになっている。
【００４６】
そして、第１カバーケース２６と第２カバーケース３７と第３カバーケース４７内には図示しない一対の給電線コイルが配設され、第１，第２，第３カバーケース２６，３７，４７の伸縮に応じて各給電線コイルが伸縮するようになっており、各給電線コイルの一端は手元操作管１７および集塵ホース１５内に配設された図示しない給電線を介して掃除機本体１１内の電源回路（図示せず）に接続され、各給電線コイルの他端は接続アダプタ１０２および接続管１０１内に配設された図示しない給電線を介して吸込口体１００のモータＭに接続されている。
【００４７】
また、第３カバーケース４７の先端部４７Ａにはクランプ４８が設けられており、このクランプ４８の操作により第３パイプ４０と接続アダプタ１０２との接続をロックしたりそのロックを解除したりするものである。
［動  作］
次に、上記のように構成される電気掃除機の動作について説明する。
（１）第２カバーケース３７の第２パイプ３０への組付（取付固定）
この第２カバーケース３７を第２パイプ３０の先端パイプ部３０ａに取り付けるには、先ずリング部材（ロック手段）６０が保持された保持パイプ５０を第２パイプ３０の先端パイプ部３０ｂ内に嵌合する。この嵌合は、保持パイプ５０に設けたフランジ５３が先端パイプ部３０ｂの端面に当接するまで行う。この際、フランジ５３の長穴５４が図３の如く上部に位置するようにする。
【００４８】
次に、図７Ｄの第２カバーケース３７を図７Ａの第２パイプ３０のパイプ部３０ａの上部に沿わせる。この状態で図１Ａ，図７Ｄのカバー部材７４の被取付端部７４Ｃを移動規制突部７１，７１間に配設すると共に、被取付端部７４Ｃの側壁７４ａ，７４ａの開放端を図７Ｂのカバー支持面７２ａ，７２ａに当接させることにより、被取付端部７４Ｃに設けた係合溝７８，７８の端部を先端パイプ部３０ｂに突設した係止爪７０，７０の爪部７０ａ，７０ａに対向させる。
【００４９】
この状態で第２カバーケース３７を図７Ｂの矢印Ａ１方向（先端である左端方向）にスライド移動させる。この際、カバー部材７４の被取付端部７４Ｃを移動規制突部７１，７１で側方に移動しないようにガイドさせると共に、被取付端部７４Ｃの側壁７４ａ，７４ａの開放端をカバー支持面７２ａ，７２ａに対して摺接移動させる。
【００５０】
このスライド移動に伴い、先端パイプ部３０ｂに突設した係止爪７０，７０の爪部７０ａ，７０ａが第２カバーケース３７の係合溝７８，７８に係合させられて、被取付端部７４Ｃが第２パイプ３０の半径方向に移動するのが阻止される。この様なスライド操作は、被取付端部７４Ｃがフランジ５３に当接するまで行う。そして、このスライド移動に伴い、係止段部７４ｅ，（他方図示せず）が移動規制突部７１，７１に係止されて、被取付端部７４Ｃが第１パイプ２１側に移動するのを規制している。従って、被取付端部７４Ｃは、係止段部７４ｅと移動規制突部７１及びフランジ５３を備えるカバー係止手段により、第２パイプ３０の長手方向に移動するのが規制されている。
【００５１】
この状態の第２パイプ３０のパイプ部３０ａ及び第２カバーケース３７の自由端部側を飾りリングＫに挿通して、この飾りリングＫを被取付端部７４Ｃ側に移動させた後、この飾りリングＫを更に被取付端部７４Ｃ及び第２パイプ３０の先端パイプ部３０ｂを覆うようにフランジ５３側にスライドさせる。
【００５２】
このスライドに伴い、飾りリングＫの上部の係止爪７９は、リブ７７ａの傾斜ガイド部７７ａ１に案内されてリブ７７，７７ａを乗り越えた後、フランジ５３の傾斜ガイド面５３ｂにガイドされて、フランジ５３の係止凹部５６に係止させられる。この際、飾りリングＫの一端部もフランジ５３の傾斜ガイド面５３ｂにガイドされて、自己の弾性力によりフランジ５３の周面に気密に弾接する。この状態では、飾りリングＫのフランジ状の係止爪８０は上部側が自己の弾性力により被取付端部７４Ｃのリブ７７Ａのフランジ５３とは反対側の面に係止される。
【００５３】
この係止爪７９，係止凹部５６，係止爪８０，リブ７７Ａ等を備える第１の係止手段は、第２カバーケース３７の被取付端部７４Ｃが長手方向に移動しないように第２パイプ３０の先端パイプ部３０ｂに固定している。
【００５４】
一方、このスライドに伴い、飾りリングＫの下部に設けた係止爪８１は、これの傾斜ガイド面８１ａと先端パイプ部３０ａの下面に設けた係止爪７３の傾斜ガイド面７３ａにガイドされて、係止爪７３を乗り越え、係止爪７３，８１の係止面７３ｂ，８１ｂ同士が互いに係止される。この状態では、飾りリングＫのフランジ状の係止爪８０が自己の弾性力によりフランジ７２のパイプ部３０ａ側の面に弾接係合させられる。
【００５５】
そして、係止爪７９，係止凹部５６，係止爪７３，８１，係止爪８０，リブ７７Ａ等を備える第２の係止手段は、飾りリングＫが第２パイプ３０の長手方向に移動しないように飾りリングＫを第２パイプ３０の先端パイプ部３０ｂに固定している。
【００５６】
尚、このような第２パイプ３０はパイプ部３０ａが第１パイプ２１内に引き出し自在に嵌合され、第２パイプ３０の第２カバーケース３７は自由端部側が第１カバーケース２６と第１パイプ２１との間に引き出し自在に嵌合される。また、第２パイプ３０内には第３パイプ４０が引き出し自在に嵌合され、第３カバーケース４７がフランジ５３の長穴５４を介して第２カバーケース３７内に引き出し自在に嵌合される。
【００５７】
以上のように、係止爪７０，７０の爪部７０ａ，７０ａと係合溝７８，７８は、互いに配線カバーである第２カバーケース３７の被取付端部７４Ｃの第２パイプ３０の長手方向へのスライド操作により、互いに係合して被取付端部７４Ｃが第２パイプ３０の半径方向へ移動しないようにするスライド係止手段を構成している。しかも、カバー係止手段（７１，７４ｅ）により長手方向への移動規制を行うようにしている。従って、このスライド係止手段及びカバー係止手段と飾りリングＫ（環状保持部材）の３つにより、被取付端部７４Ｃがパイプ半径方向及び長手方向へ移動しないように、被取付端部７４Ｃを第２パイプ３０のパイプ部３０ａに固定できる。
【００５８】
しかも、保持部材係止手段を構成する第１，第２の係止手段の３つにより、配線カバーである第２カバーケース３７の被取付端部７４Ｃが更に第２パイプ３０の先端パイプ部３０ｂに長手方向に移動不能に固定される。また、飾りリングＫは、被取付端部７４Ｃを半径方向に移動不能に押さえているので、被取付端部７４Ｃに先端パイプ部３０ｂの半径方向への外力が作用しても、スライド係止手段の爪部７０ａと係合溝７８とに無理な力が作用しないので、スライド係止手段が破損するようなことを未然に防止できる。
【００５９】
また、飾りリングＫは弾性力を有すると共に、第１，第２の係止手段の係止爪等は弾性力を有するので、保持部材係止手段である第１，第２の係止手段の係止爪等による係止状態を解除して、飾りリングＫを先端パイプ部３０ｂから第１パイプ２１側に移動させて、被取付端部７４Ｃを先端パイプ部３０ｂに対して第１パイプ２１側にスライドさせることにより、スライド係止手段の爪部７０ａと係合溝７８との係合を解除した後、カバー係止手段の係止を解除する方向に配線カバーである第２カバーケース３７を長手方向に引っ張ることで、第２カバーケース３７の被取付端部７４Ｃを第２パイプ３０の先端パイプ部３０ｂから取り外すこともできる。
（２）延長管２０の伸縮操作及び電気掃除機の動作
掃除を行う場合、先ず、図１８に示すように第２パイプ３０を第１パイプ２１から所定の伸長位置に引き出し、第３パイプ４０を第２パイプ３０から伸長位置に引き出す。第３パイプ４０が伸長位置に引き出されると、スプリングＰの付勢力によりリング部材６０の突起６１が第３パイプ４０の係合凹部４３に係合して、第３パイプ４０が第２パイプ３０にロックされる。なお、第２パイプ４０はクランプ部材２３により第１パイプ２１にロックされている。
【００６０】
そして、手元操作管１７の操作部１７Ａの強弱スイッチＳａ，Ｓｂを操作すれば、電動送風機１３が駆動されて吸込口体１００から塵埃が吸引されていく。
【００６１】
掃除が終了して掃除機１０を収納する場合、延長管２０を収縮させるが、この延長管２０の収縮の仕方について説明する。
【００６２】
先ず、図１９に示すように、第３パイプ４０を伸長させた第２パイプ３０を第１パイプ２１内に収納させていく。この収納により、第１パイプ２１の操作片２５の先端部２５Ａが第２パイプ３０の接合管部３２の隙間３３内に挿入されていき、この操作片２５の先端部２５Ａがリング部材６０の傾斜突起６３の傾斜面６３ａに当接する。そして、さらに第２パイプ３０が第１パイプ２１内へ押し込まれていくと、その操作片２５の先端部２５Ａがリング部材６０の傾斜突起６３を下方へ押圧していくことになる。
【００６３】
このため、図２０に示すようにリング部材６０がスプリングＰの付勢力に抗して下方に押し下げられていき、リング部材６０の突起６１が第３パイプ４０の係合凹部４３から外れ、第３パイプ４０のロックが解除される。
【００６４】
このロックの解除は、第１パイプ２１の操作片２５の先端部２５Ａに傾斜面２５ａが形成され、リング部材６０の傾斜突起６３に傾斜面６３ａが形成されていることによりスムーズに行うことができる。
【００６５】
そして、第３パイプ４０を第２パイプ３０内へ押し込んで収納位置へ収納させていくと、図１６に示すように、第３パイプ４０の係止突起４２がリング部材６０の係止穴６４に係合して第３パイプ４０が第２パイプ３０にロックされる。第３パイプ４０の係止突起４２に傾斜面４２ａが形成され、係止穴６４を設けたリング部材６０の係止片６６は弾性を有していることによりそのロックはスムーズに行うことができることになる。
【００６６】
第１パイプ２１の操作片２５の先端部２５Ａは、図１６に示すように、リング部材６０の傾斜突起６３の上に乗り上げた状態になっていることにより、リング部材６０の上方への移動が阻止され、このためそのロックは解除できないようになっている。また、第３パイプ４０の係止突起４２に起立面４２ｂが形成されているので、第３パイプ４０を左方向（図１６において）へ引っ張ってもそのロックは解除されない。
【００６７】
このロックを解除するには、図１７に示すように第２パイプ３０を第１パイプ２１から左方向へ引き出す。この引き出しにより、第１パイプ２１の操作片２５の先端部２５Ａが第２パイプ３０の接合管部３２の隙間３３から抜け、リング部材６０がスプリングＰ（図３参照）の付勢力により上方に移動し、第３パイプ４０の係止突起４２がリング部材６０の係止穴６４から外れ、ロックが解除される。そして、第３パイプ４０は第２パイプ３０に対して引き出し可能となる。
【００６８】
このように、リング部材６０を上下方向（径方向）に移動させて、第３パイプ４０をロックしたり、そのロックを解除したりするものであり、スプリングＰの付勢力で第３パイプ４０をロックさせるものでないので、スプリングＰの付勢力を強くする必要がなく、このため第３パイプのロック操作やロック解除操作は簡単に行うことができ、しかもスプリングＰの付勢力で第３パイプ４０をロックさせるものでないことにより、大きな力を必要とせずに第３パイプ４０の伸縮操作を行うことができる。また、第２パイプ３０をクランプ部材２３でロックするようにしてあるものであるから、第２パイプ３０も大きな力を必要とせずにその伸縮操作を簡単に行うことがでる。
【００６９】
上記実施例は、３段の延長管２０について説明したがこれに限定されるものではなく、例えば４段の延長管であってもよい。
【００７０】
以上説明したように、この発明の実施の形態の電気掃除機は、吸込パイプ（第２パイプ３０）及び前記吸込パイプ（３０）に沿って配設された配線カバー（第２カバーケース３７）を有する延長パイプを備えている。そして、前記配線カバー（第２カバーケース３７）が前記吸込パイプ（３０）のパイプ端部（先端パイプ部３０ｂ）に分解可能に取り付られている。また、前記配線カバー（第２カバーケース３７）の一端部は被取付端部（７４Ｃ）を有し、前記吸込パイプ（３０）のパイプ端部（３０ｂ）と前記被取付端部（７４Ｃ）との一方に係止爪（７１）が形成され、且つ前記被取付端部（７４Ｃ）を前記パイプ端部（３０ｂ）の端縁方向にスライドさせることにより前記被取付端部（７４Ｃ）を前記吸込パイプ（３０）の径方向に抜け外れ不能に前記係止爪（７０）に係合させる被係合部（係合溝７８）が前記パイプ端部（３０ｂ）と前記被取付端部（７４Ｃ）との他方に形成されていると共に、このスライド操作により前記被取付端部（７４Ｃ）を前記吸込パイプ（３０）の長手方向に移動不能に前記パイプ端部（３０ｂ）に係止させるカバー係止手段（フランジ５３，移動規制突部７１と係止段部７４ｅ）が前記被取付端部と前記パイプ端部（３０ｂ）との間に設けられ、環状保持部材（飾りリングＫ）の内面で前記カバー係止手段（７１，７４ｅ）と当接して前記被取付端部７４Ｃの移動不能状態を維持するようになっている。
【００７１】
この構成によれば、ネジ等を用いていないので、延長パイプ（延長管２０）の配線カバー（３７）の吸込パイプ（延長管２０）への取付部の外形が大きくなるのを回避できる。
【００７２】
このようにすることで、単に被取付端部７４Ｃを吸込パイプ（３０）の長手方向にスライドさせることにより、前記係止爪（７０）が被係合部（係合溝７８）に係合させて、被取付端部７４Ｃの半径方向への移動を規制できると共に、前記被取付端部７４Ｃを長手方向に移動しないように前記パイプ端部（３０ｂ）にカバー係止手段（移動規制突部７１と係止段部７４ｅ）で係止させることができる。
【００７３】
しかも、環状保持部材（飾りリングＫ）は、配線カバー（第２カバーケース３７）に左右方向及び上下方向（パイプの軸線と直交する方向）に移動させようとしたとき、係止爪（７０）及びカバー係止手段（係止段部７４ｅと移動規制突部７１のうち移動規制突部７１）の変形を防止して、カバー係止手段（７４ｅ，７１）による配線カバーのパイプ端部（３０ｂ）からの長手方向への移動を阻止すると共に、係止爪（７０）と被係合部（係合溝７８）が左右方向及び上下方向に抜け外れるのを防止する。
【００７４】
また、この発明の実施の形態の電気掃除機は、吸込パイプ（第２パイプ３０）及び前記吸込パイプ（３０）に沿って配設された配線カバー（第２カバーケース３７）を有する延長パイプを備えている。そして、前記配線カバー（第２カバーケース３７）が前記吸込パイプ（３０）のパイプ端部（先端パイプ部３０ｂ）に分解可能に取り付られている。また、前記配線カバー（第２カバーケース３７）の一端部は被取付端部（７４Ｃ）を有し、前記吸込パイプ（３０）のパイプ端部（３０ｂ）と前記被取付端部（７４Ｃ）との一方に係止爪（７１）が形成され、且つ前記被取付端部（７４Ｃ）を前記パイプ端部（３０ｂ）の端縁方向にスライドさせることにより前記被取付端部（７４Ｃ）を前記吸込パイプ（３０）の半径方向に抜け外れ不能に前記係止爪（７０）に係合させる被係合部（係合溝７８）が前記パイプ端部（３０ｂ）と前記被取付端部（７４Ｃ）との他方に形成されていると共に、前記パイプ端部（３０ｂ）と前記被取付端部（７４Ｃ）が環状保持部材（飾りリングＫ）に嵌合され、且つ前記被取付端部（７４Ｃ）を前記吸込パイプ（３０）の長手方向に移動不能に前記パイプ端部（３０ｂ）に係止させる保持部材係止手段（係止爪７９，係止凹部５６，係止爪８０，リブ７７Ａ等を備える第１の係止手段と、係止爪７９，係止凹部５６，係止爪７３，８１，係止爪８０，リブ７７Ａ等を備える第２の係止手段）が前記環状保持部材（Ｋ）と前記パイプ端部（３０ｂ）との間に設けられている。
【００７５】
この構成によれば、ネジ等を用いていないので、延長パイプ（延長管２０）の配線カバー（３７）の吸込パイプ（延長管２０）への取付部の外形が大きくなるのを回避できる。このようにすることで環状保持部材（飾りリングＫ）は、配線カバー（第２カバーケース３７）に左右方向及び上下方向（パイプの軸線と直交する方向）に移動させようとしても、被取付端部７４Ｃが変形して、係止爪（７０）と被係合部（係合溝７８）が左右方向及び上下方向に抜け外れるのを防止すると共に、係止手段（係止爪７９，係止凹部５６，係止爪８０，リブ７７Ａ等を備える第１の係止手段と、係止爪７９，係止凹部５６，係止爪７３，８１，係止爪８０，リブ７７Ａ等を備える第２の係止手段）で第２カバーケース３７が長手方向に移動するのを阻止するように、第２カバーケース３７の被取付端部７４Ｃを第２パイプ３０に固定している。更に、この構成の保持部材係止手段に加えて、上述したカバー係止手段（移動規制突部７１と係止段部７４ｅ）を設けることで、カバー係止手段（移動規制突部７１と係止段部７４ｅ）により、環状保持部材を取り付けるまでの、仮固定ができる。
【００７６】
また、この発明の実施の形態の電気掃除機の前記係止手段は、前記環状保持部材（飾りリングＫ）を前記パイプ端部（３０ｂ）に対して長手方向に移動不能に係止させる第１の係止手段（係止爪７９，係止凹部５６，係止爪８０，リブ７７Ａ等を備える第１の係止手段と）と、前記配線カバー（第２カバーケース３７）の前記被取付端部（７４Ｃ）を前記延長パイプの長手方向に移動不能に前記環状保持部材（飾りリングＫ）に係止させる第２の係止手段（係止爪７９，係止凹部５６，係止爪７３，８１，係止爪８０，リブ７７Ａ等を備える第２の係止手段）を備えている。
【００７７】
この構成によれば、前記係止爪（７０）と前記被係合部（係合溝７８）とを備えるスライド係止手段を設けていると共に、環状保持部材（飾りリングＫ）とパイプ端部との間に設けた第１の係止手段及びにより環状保持部材（飾りリングＫ）と被取付端部との間に設けた第２の係止手段により、配線カバー（第２カバーケース３７）を延長パイプの長手方向に移動不能とさせることができるので、簡単な構成で配線カバー（第２カバーケース３７）をパイプ端部に固定できる。
【００７８】
尚、以上説明した実施例では、第１〜第３パイプ２１，３０，４０から伸縮自在に設けられた延長管（延長パイプ）２０の第２パイプ３０にこの発明を適用した例を示したが、必ずしもこれに限定されるものではない。例えば、伸縮しない延長管に配線カバーを設ける場合にも適用できる。また、第３パイプ４０の吸込側の先端が先細り形状であっても良い。
【図面の簡単な説明】
【００７９】
【図１】この発明に係る電気掃除機の外観を示した斜視図である。
【図１Ａ】図１に示した延長管の概略分解斜視図である。
【図２】収縮させた延長管の一部を示した斜視図である。
【図３】図２に示す延長管の拡大断面図である。
【図４】図２に示す延長管の断面斜視図である。
【図５】第１パイプとシールパイプとを示した斜視図である。
【図６】第１パイプにシールパイプを接続した断面図である。
【図７】第２パイプを示した断面図である。
【図７Ａ】図１に示した第２パイプの概略斜視図である。
【図７Ｂ】図７Ａの要部拡大図である。
【図７Ｃ】図７Ｂの第２パイプを左側の端面から見た説明図である。
【図７Ｄ】図１Ａの第２カバーケースの斜視図である。
【図７Ｅ】図７Ｄの第２カバーケースを左側の端面から見た説明図である。
【図７Ｆ】図７Ｄの飾りリングの斜視図である。
【図７Ｇ】図７Ｆの飾りリングの左端面図である。
【図７Ｈ】図７ＧのＡ−Ａ線に沿う断面図である。
【図７Ｉ】図２の保持パイプを取り外した状態の第２パイプと配線カバー及び飾りリングとの関係を示す左端面図である。
【図８】リング部材を配置した保持パイプを第２パイプの先端部に嵌入させた状態を示した断面図である。
【図９】リング部材と保持パイプとを示した斜視図である。
【図１０】リング部材を配置した保持パイプを示した断面図である。
【図１１】（Ａ）リング部材を示した平面図、（Ｂ）リング部材を示した側面図である。
【図１２】第２パイプに嵌入させた保持パイプおよびリング部材に第３パイプの後部を挿入させた状態を示した断面図である。
【図１３】（Ａ）第３パイプを示した断面図、（Ｂ）第３パイプの部分拡大図である。
【図１４】伸長された第３パイプのリング部材によるロック状態を示した説明図である。
【図１５】収縮された第３パイプのリング部材によるロック状態を示した説明図である。
【図１６】第２，第３パイプを収納させた際の第３パイプのロック状態を示した断面説明図である。
【図１７】第２パイプを第１パイプから引き出して第３パイプのロックを解除した状態を示した断面説明図である。
【図１８】伸長させた第３パイプのロック状態を示した断面説明図である。
【図１９】伸長させた第３パイプのロックを解除する直前の状態を示した断面説明図である。
【図２０】伸長させた第３パイプのロックを解除した状態を示した断面説明図である。
【符号の説明】
【００８０】
２０…延長管（延長パイプ）
３０…第２パイプ（吸込パイプ）
３０ｂ…先端パイプ部（パイプ端部）
３７…第２カバーケース（配線カバー）
５６…係止凹部（係止手段の一部）
７０…係止爪（係止手段の一部）
７１…移動規制突部（カバー係止手段の一部）
７３…係止爪（係止手段の一部）
７４Ｃ…被取付端部
７４ｅ…係止段部（カバー係止手段の一部）
７８…係合溝（被係合部）
Ｋ…飾りリング（環状保持部材）
【図１】
0004738208.tif 000002
【図１Ａ】
0004738208.tif 000003
【図２】
0004738208.tif 000004
【図３】
0004738208.tif 000005
【図４】
0004738208.tif 000006
【図５】
0004738208.tif 000007
【図６】
0004738208.tif 000008
【図７】
0004738208.tif 000009
【図７Ａ】
0004738208.tif 000010
【図７Ｂ】
0004738208.tif 000011
【図７Ｃ】
0004738208.tif 000012
【図７Ｄ】
0004738208.tif 000013
【図７Ｅ】
0004738208.tif 000014
【図７Ｆ】
0004738208.tif 000015
【図７Ｇ】
0004738208.tif 000016
【図７Ｈ】
0004738208.tif 000017
【図７Ｉ】
0004738208.tif 000018
【図８】
0004738208.tif 000019
【図９】
0004738208.tif 000020
【図１０】
0004738208.tif 000021
【図１１】
0004738208.tif 000022
【図１２】
0004738208.tif 000023
【図１３】
0004738208.tif 000024
【図１４】
0004738208.tif 000025
【図１５】
0004738208.tif 000026
【図１６】
0004738208.tif 000027
【図１７】
0004738208.tif 000028
【図１８】
0004738208.tif 000029
【図１９】
0004738208.tif 000030
【図２０】
0004738208.tif 000031